(57)【特許請求の範囲】
【請求項１】
ランプおよび点灯装置が収納された第１の容器と、
前記第１の容器の内部で前記点灯装置に電気的に接続された内部電源線と、
前記第１の容器に隣接して配置された第２の容器と、
前記第１の容器の内部と前記第２の容器の内部との間での空気の流通を遮断して前記第１の容器および前記第２の容器に前記内部電源線を貫通させる貫通手段とを備え、
前記第２の容器は、上方および側方を覆う外郭部を有し、当該第２の容器の周囲に水が存在する場合に空気が残留する空気溜り領域を内部に形成し、
前記内部電源線は、外部電源に電気的に接続された外部電源線と接続するための接続部分を前記空気溜り領域に有する
ことを特徴とする照明器具。
【請求項２】
前記第２の容器は、前記第１の容器の底面に密接して配置されていることを特徴とする請求項１記載の照明器具。
【請求項３】
前記第２の容器は、前記第１の容器の側方に配置されていることを特徴とする請求項１記載の照明器具。
【請求項４】
前記第２の容器は、下方に開口することを特徴とする請求項２または３記載の照明器具。
【請求項５】
請求項１〜４のいずれか１項に記載の照明器具と、
前記照明器具から電力が供給されると点灯するランプと
を備えることを特徴とする照明装置。
【発明の詳細な説明】
【技術分野】
【０００１】
本発明は、ランプに電力を供給してランプを点灯させる照明器具およびそれを用いた照明装置に関する。
【背景技術】
【０００２】
従来の照明装置の一例として、特許文献１には、地中に埋設されて用いられる地中埋込型の照明装置が開示されている。
【０００３】
特許文献１に記載された照明装置は、円筒状の外囲器の内部に閉塞板が設けられたことにより、閉塞板の上側に光源収納部が形成され、閉塞板の下側に凹部が形成されている。光源収納部には、ランプが収納されている。凹部においては、ランプに電力を供給するために内部電源線と外部電源線とを接続する電源接続部が閉塞板に取り付けられている。
【先行技術文献】
【特許文献】
【０００４】
【特許文献１】特開平８−２５５５０７号公報
【発明の概要】
【発明が解決しようとする課題】
【０００５】
ところで、特許文献１に記載された従来の照明装置は、電源接続部の設置場所と電源接続部の内部とにおいて光源収納部と凹部との間での空気の流通を遮断する構造を有していない。
【０００６】
このような従来の照明装置では、ランプの点灯および消灯によって光源収納部の内部の空気が収縮すると、電源接続部の設置場所と電源接続部の内部との少なくともいずれかを通って凹部から光源収納部へ空気が流通することがある。電源接続部の密閉性能は、使用されるケーブル（電源線）のサイズや固定要領などの施工に依存してしまう。このため、凹部の周囲に水が存在する場合、凹部の空気が減少して凹部の外部から内部へ水が入り、電源接続部が浸水することによって、電源接続部の内部を通って光源収納部へ水が入ってしまうことがあった。
【０００７】
本発明は上記の点に鑑みて為され、本発明の目的は、周囲に水が存在する場合に内部電源線と外部電源線との接続部分を浸水させにくくすることができる照明器具およびそれを用いた照明装置を提供することにある。
【課題を解決するための手段】
【０００８】
本発明の照明器具は、ランプおよび点灯装置が収納された第１の容器と、前記第１の容器の内部で前記点灯装置に電気的に接続された内部電源線と、前記第１の容器に隣接して配置された第２の容器と、前記第１の容器の内部と前記第２の容器の内部との間での空気の流通を遮断して前記第１の容器および前記第２の容器に前記内部電源線を貫通させる貫通手段とを備え、前記第２の容器は、上方および側方を覆う外郭部を有し、当該第２の容器の周囲に水が存在する場合に空気が残留する空気溜り領域を内部に形成し、前記内部電源線は、外部電源に電気的に接続された外部電源線と接続するための接続部分を前記空気溜り領域に有することを特徴とする。
【０００９】
この照明器具において、前記第２の容器は、前記第１の容器の底面に密接して配置されていることが好ましい。
【００１０】
この照明器具において、前記第２の容器は、前記第１の容器の側方に配置されていることが好ましい。
【００１１】
この照明器具において、前記第２の容器は、下方に開口することが好ましい。
【００１２】
本発明の照明装置は、前記照明器具と、前記照明器具から電力が供給されると点灯するランプとを備えることを特徴とする。
【発明の効果】
【００１３】
本発明は、第１の容器と第２の容器との間での空気の流通を遮断して第１の容器および第２の容器に内部電源線を貫通させ、周囲に水が存在する場合に空気が残留する空気溜り領域を第２の容器の内部に形成し、さらに、内部電源線と外部電源線との接続部分を空気溜り領域に有している。これにより、ランプの点灯および消灯によって第１の容器の内部の空気が収縮しても、空気溜り領域の空気が第１の容器へ入りにくいので、第２の容器の周囲に水が存在する場合であっても、空気溜り領域の体積が小さくなることを抑制できる。その結果、内部電源線と外部電源線との接続部分を浸水させにくくすることができるから、水が接続部分から内部電源線の内部を通って第１の容器へ入ることを抑制できる。
【図面の簡単な説明】
【００１４】
【図１】実施形態１に係る照明装置であって、（ａ）は上面図、（ｂ）は内部の構造を示す概略図である。
【図２】実施形態２に係る照明装置であって、（ａ）は上面図、（ｂ）は内部の構造を示す概略図である。
【図３】実施形態３に係る照明装置であって、（ａ）は上面図、（ｂ）は内部の構造を示す概略図である。
【発明を実施するための形態】
【００１５】
以下の実施形態１〜３では、地中に埋設されて用いられる地中埋込型の照明装置について説明する。
【００１６】
（実施形態１）
実施形態１に係る照明装置１は、図１に示すように、ランプ２と、ランプ２を点灯制御する照明器具３と、照明器具３の周囲に設置された埋込ボックス４とを備えている。
【００１７】
このような照明装置１は、照明器具３において、器具本体３３と接続ボックス３５との間での空気の流通を遮断して器具本体３３および接続ボックス３５に内部電源線３４を貫通させ、周囲に水が存在しても空気が残留する空気溜り領域５を接続ボックス３５の内部に形成している。空気溜り領域５には、内部電源線３４と電源ケーブル６との接続部分７が存在する。以下、照明装置１の各構成要素について説明する。
【００１８】
埋込ボックス４は、例えばステンレス鋼板などで円筒状に形成された部材であり、地中８に埋設されている。埋込ボックス４の周囲は、例えば土、コンクリートなどである。照明装置１では、埋込ボックス４が地中８に埋設された後に、埋込ボックス４の内部に照明器具３が装着される。
【００１９】
ランプ２は、例えばＨＩＤ（High Intensity Discharge）ランプ、ＬＥＤ（LightEmitting Diode）などであり、照明器具３から電力が供給されると点灯する。ＨＩＤランプとしては、高圧水銀ランプ、メタルハライドランプ、高圧ナトリウムランプなどがある。
【００２０】
照明器具３は、ランプ２を着脱自在に保持するランプソケット３１と、ランプ２を点灯させる点灯装置３２と、ランプソケット３１および点灯装置３２が収納された器具本体（第１の容器）３３とを備えている。また、照明器具３は、点灯装置３２に電気的に接続された内部電源線３４と、器具本体３３に隣接して配置された接続ボックス（第２の容器）３５と、器具本体３３および接続ボックス３５に内部電源線３４を貫通させる貫通手段３６とを備えている。さらに、照明器具３は、ランプ２の照射方向（図１のＺ軸方向）に設けられた透光性部材３７と、透光性部材３７を保持する保持枠３８とを備えている。照明器具３の周囲には、水が常時または一時的に存在する。
【００２１】
点灯装置３２は、ランプソケット３１に装着されたランプ２に電力を供給してランプ２を点灯させる。
【００２２】
器具本体３３は、例えばステンレス鋼板などで有底円筒状に形成された部材である。具体的には、器具本体３３は、円盤状の底面部３３１と、底面部３３１の周縁から上方へ延びて設けられた円筒状の側面部３３２と、側面部３３２の上端縁から外方へ延設された外鍔部３３３とを一体に備えている。器具本体３３の上面には円形状の開口が形成されている。器具本体３３には、ランプ２とランプソケット３１と点灯装置３２とが収納されている。器具本体３３は、地中８に埋設された埋込ボックス４に装着されている。
【００２３】
接続ボックス３５は、例えばステンレス鋼板などで形成され、器具本体３３の下方に接して配置されている。接続ボックス３５は、器具本体３３の底面部３３１に密接する矩形状の上面部３５１と、上面部３５１の周縁から下方へ延びて設けられた筒状の側面部３５２とを一体に備えている。上面部３５１および側面部３５２は、上方および側方を隙間なく覆って密閉している。これにより、接続ボックス３５は、接続ボックス３５の周囲に水が存在する場合に空気が残留する空気溜り領域５を内部に形成する。また、接続ボックス３５の上方および側方が気密になっているから、空気溜り領域５の空気は逃げ場がない。したがって、接続ボックス３５の周囲に水が存在しているか否かにかかわらず、空気溜り領域５は常に空気で満たされている。
【００２４】
また、接続ボックス３５の下側から後述の電源ケーブル６を引き込むことができるように、接続ボックス３５の下面には開口が形成されている。電源ケーブル６が引き込まれた後、電源ケーブル６および接続部分７が垂れ下がらないように、接続ボックス３５には、側面部３５２の下端より上方の位置に底板３５３が着脱自在に設けられている。
【００２５】
貫通手段３６は、器具本体３３と接続ボックス３５との間で内部電源線３４を貫通させるために設けられている。本実施形態の貫通手段３６は、器具本体３３側に設けられた第１の貫通部材３６１と、接続ボックス３５側に設けられた第２の貫通部材３６２とから構成されている。第１の貫通部材３６１および第２の貫通部材３６２は、いずれもパッキン（図示せず）が収納された金具であり、内部電源線３４の外周に隙間ができない構造になっている。すなわち、貫通手段３６は、器具本体３３の内部と接続ボックス３５の内部との間での空気の流通を遮断して器具本体３３および接続ボックス３５に内部電源線３４を貫通させる。器具本体３３および接続ボックス３５での内部電源線３４の貫通部は、第１の貫通部材３６１および第２の貫通部材３６２によって工場での組立時に密閉状態にされている。
【００２６】
内部電源線３４は、電源ケーブル６との接続部分７を空気溜り領域５に有している。電源ケーブル６は、外部電源（図示せず）に電気的に接続された外部電源線である。外部電源は、例えば商用電源などである。電源ケーブル６は、埋込ボックス４の外部ではケーブル保護管６１で保護されている。
【００２７】
透光性部材３７は、例えば強化ガラスなどで円盤状に形成されたガラスカバーであり、器具本体３３の開口を覆うように設けられている。ランプ２の光は、透光性部材３７を通して外部に放射される。
【００２８】
保持枠３８は、例えばステンレス鋼板などで円環状に形成された部材であり、取付ねじ３８２が挿通される円形状のねじ挿通孔３８３が４つ形成されている。４つのねじ挿通孔３８３，３８３，……は、保持枠３８の周方向に離間して形成されている。取付ねじ３８２をナット３８４に螺合させることによって、保持枠３８が器具本体３３に取り付けられる。この状態で、保持枠３８は、上下方向（図１のＺ軸方向）において、器具本体３３との間に透光性部材３７の周部を保持する。保持枠３８と器具本体３３との間には防水パッキン３８１が挟装されている。ランプ２の交換および保守点検は、保持枠３８および透光性部材３７を器具本体３３から外して行うことができる。
【００２９】
以上の説明より、本実施形態の照明装置１は、照明器具３において、器具本体３３と接続ボックス３５との間での空気の流通を遮断して器具本体３３および接続ボックス３５に内部電源線３４を貫通させ、周囲に水が存在しても空気が残留する空気溜り領域５を接続ボックス３５の内部に形成し、さらに、内部電源線３４と電源ケーブル６との接続部分７を空気溜り領域５に有している。これにより、ランプ２の点灯および消灯によって器具本体３３の内部の空気が収縮しても、空気溜り領域５の空気が器具本体３３へ入りにくいので、接続ボックス３５の周囲に水が存在する場合であっても、空気溜り領域５の体積が小さくなることを抑制できる。すなわち、雨などで照明器具３と埋込ボックス４との間に水が溜まっている場合であっても、空気溜り領域５の体積が小さくなることを抑制できる。その結果、接続ボックス３５の下側の水面が側面部３５２の下面より上側へ上がることがなく、接続部分７を浸水させにくくすることができるから、水が接続部分７から内部電源線３４の内部を通って器具本体３３へ入ることを抑制できる。また、本実施形態の照明装置１では、内部電源線３４を貫通させる部分を通って接続ボックス３５から器具本体３３へ水が入ることも抑制できる。上記より、本実施形態の照明装置１では、照明器具３の周囲に溜まった水を逃がすための排水手段が不要である。
【００３０】
さらに、本実施形態の照明装置１は、照明器具３において、接続ボックス３５が下方に開口していることによって、電源ケーブル６を接続ボックス３５の外部から内部へ引き回しやすくすることができる。また、空気溜り領域５は接続ボックス３５の内部の上側に形成されるので、接続ボックス３５が下方に開口していても、使用時において接続ボックス３５の空気溜り領域５を保持することができ、接続部分７が浸水することを抑制できる。
【００３１】
本実施形態の照明装置１では、器具本体３３の内部に電源ケーブル６が引き込まれていない。これにより、電源ケーブル６の種類（太さ・形状・材質）および施工レベルの制限がなくなり、適合外の電源ケーブル６が用いられたり、樹脂材料・ケーブル材料が劣化したりしても、器具本体３３の内部が浸水することを抑制できる。その結果、周囲に水が常時または一時的に存在する場所に設置される照明装置１に対し、安価で信頼性の高い防水構造を実現することができる。
【００３２】
（実施形態２）
実施形態２に係る照明装置１は、図２に示すように、接続ボックス３５が上方および側方だけではなく下方も密閉されている点で、実施形態１に係る照明装置１（図１参照）と相違する。なお、実施形態１の照明装置１と同様の構成要素については、同一の符号を付して説明を省略する。
【００３３】
本実施形態の接続ボックス３５は、開口が形成された本体部３５４と、本体部３５４の開口を塞ぐ側板３５５とを備えている。本体部３５４は、器具本体３３の底面部３３１に密接している。本実施形態では、接続ボックス３５での電線接続作業を行いやすくするために、側板３５５が本体部３５４に対して着脱自在になっている。側板３５５は、密閉性を確保するためにパッキン（図示せず）を介して本体部３５４に固定される。なお、実施形態１の接続ボックス３５（図１参照）と同様の機能については説明を省略する。
【００３４】
また、本実施形態の接続ボックス３５は、密閉性をより高めるために、本体部３５４の底面にケーブルグランド３５６が装着されている。ケーブルグランド３５６を通って電源ケーブル６が接続ボックス３５の内部へ引き込まれる。
【００３５】
このような本実施形態の接続ボックス３５は、器具本体３３に密接した状態で、本体部３５４および側板３５５によって内部を隙間なく覆って密閉している。これにより、接続ボックス３５は、空気溜り領域５を内部に形成することができる。また、接続ボックス３５の内部が気密になっているから、空気溜り領域５の空気は逃げ場がない。したがって、接続ボックス３５の周囲に水が存在しているか否かにかかわらず、空気溜り領域５は常に空気で満たされている。
【００３６】
本実施形態の貫通手段３６は、器具本体３３側に設けられた第１の貫通部材３６１のみで構成されている。器具本体３３と接続ボックス３５とが密接しているから、本実施形態の貫通手段３６であっても、器具本体３３の内部と接続ボックス３５の内部との間での空気の流通を遮断して器具本体３３および接続ボックス３５に内部電源線３４を貫通させることができる。なお、実施形態１の貫通手段３６（図１参照）と同様の機能については説明を省略する。
【００３７】
本実施形態の照明装置１においても、実施形態１の照明装置１（図１参照）と同様に、ランプ２の点灯および消灯によって器具本体３３の内部の空気が収縮しても、空気溜り領域５の空気が器具本体３３へ入りにくいので、接続ボックス３５の周囲に水が存在する場合であっても、空気溜り領域５の体積が小さくなることを抑制できる。その結果、内部電源線３４と電源ケーブル６との接続部分７を浸水させにくくすることができるから、水が接続部分７から内部電源線３４の内部を通って器具本体３３へ入ることを抑制できる。
【００３８】
（実施形態３）
実施形態３に係る照明装置１は、図３に示すように、接続ボックス３５が器具本体３３の側方に配置されている点で、実施形態１に係る照明装置１（図１参照）と相違する。なお、実施形態１の照明装置１と同様の構成要素については、同一の符号を付して説明を省略する。
【００３９】
本実施形態の照明装置１は、埋込ボックス４を備えていない構成であり、照明器具３が直接、地中８に埋設される。
【００４０】
本実施形態の器具本体３３は、略円錐台形筒状に形成され、下側の開口を取付板３９で閉じるように、取付板３９に固定されている。なお、実施形態１の器具本体３３（図１参照）と同様の機能については説明を省略する。
【００４１】
本実施形態の接続ボックス３５は、器具本体３３の側方に配置されている。接続ボックス３５は、矩形状の上面部３５１と、上面部３５１の周縁から下方へ延びて設けられた筒状の側面部３５２とを一体に備えている。上面部３５１および側面部３５２は、上方および側方を隙間なく覆って密閉している。これにより、接続ボックス３５は、接続ボックス３５の周囲に水が存在しても空気が残留する空気溜り領域５を内部に形成する。また、接続ボックス３５の上方および側方が気密になっているから、空気溜り領域５の空気は逃げ場がない。したがって、接続ボックス３５の周囲に水が存在しているか否かにかかわらず、空気溜り領域５は常に空気で満たされている。なお、実施形態１の接続ボックス３５（図１参照）と同様の機能については説明を省略する。
【００４２】
側面部３５２の一部には、内部電源線３４を接続ボックス３５に導入しやすいように切り欠き３５７が形成されている。内部電源線３４が電源ケーブル６に接続された後、電源ケーブル６および接続部分７が垂れ下がらないように、接続ボックス３５には、切り欠き３５７より上方の位置に底板３５３が着脱自在に設けられている。なお、本実施形態では、内部電源線３４が電源ケーブル６に接続された後、接続部分７が接続ボックス３５で被せられた構造になっている。
【００４３】
本実施形態の貫通手段３６は、器具本体３３側に設けられた第１の貫通部材３６１のみで構成されている。本実施形態の貫通手段３６であっても、器具本体３３の内部と接続ボックス３５の内部との間での空気の流通を遮断して器具本体３３および接続ボックス３５に内部電源線３４を貫通させることができる。なお、実施形態１の貫通手段３６（図１参照）と同様の機能については説明を省略する。
【００４４】
本実施形態の照明装置１においても、実施形態１の照明装置１（図１参照）と同様に、ランプ２の点灯および消灯によって器具本体３３の内部の空気が収縮しても、空気溜り領域５の空気が器具本体３３へ入りにくいので、接続ボックス３５の周囲に水が存在する場合であっても、空気溜り領域５の体積が小さくなることを抑制できる。その結果、内部電源線３４と電源ケーブル６との接続部分７を浸水させにくくすることができるから、水が接続部分７から内部電源線３４の内部を通って器具本体３３へ入ることを抑制できる。
【００４５】
なお、各実施形態の照明装置１は、地中８に設置されることに限定されず、水中に設置されてもよい。
【符号の説明】
【００４６】
１  照明装置
２  ランプ
３  照明器具
３２  点灯装置
３３  器具本体（第１の容器）
３４  内部電源線
３５  接続ボックス（第２の容器）
３５１  上面部（外郭部）
３５２  側面部（外郭部）
３５４  本体部（外郭部）
３５５  側板（外郭部）
３６  貫通手段
５  空気溜り領域
６  電源ケーブル（外部電源線）
７  接続部分
【図１】
0005715529.tif 000002
【図２】
0005715529.tif 000003
【図３】
0005715529.tif 000004